(57)【要約】      （修正有）【課題】映像コンテンツの種類によらず、ユーザにとって取り扱いやすい映像再生装置を提供する。【解決手段】映像コンテンツデータを処理して、映像コンテンツデータから映像信号を再生する映像再生装置１０であって、ユーザの特定操作に対応した第１表示イメージデータが記憶された記憶手段１６と、映像コンテンツデータに、ユーザの特定操作に対応した第２表示イメージデータが含まれるか否かを識別する識別手段１８と、識別手段により映像コンテンツデータに第２表示イメージデータが含まれることが識別された場合に、記憶手段から読み出された第１表示イメージデータが合成された映像信号を再生する第１再生処理を行うことが可能な再生処理手段２０と、を備える。【選択図】図１
2008011447.tif 000002
【特許請求の範囲】
【請求項１】
映像コンテンツデータを処理して、映像コンテンツデータから映像信号を再生する映像再生装置であって、
ユーザの特定操作に対応した第１表示イメージデータが記憶された記憶手段と、
映像コンテンツデータに、ユーザの特定操作に対応した第２表示イメージデータが含まれるか否かを識別する識別手段と、
前記識別手段により映像コンテンツデータに第２表示イメージデータが含まれることが識別された場合に、前記記憶手段から読み出された第１表示イメージデータが合成された映像信号を再生する第１再生処理を行うことが可能な再生処理手段と、
を備えることを特徴とする映像再生装置。
【請求項２】
前記第１表示イメージデータまたは前記第２表示イメージデータのいずれか一方をユーザが選択可能とする選択手段を、さらに備え、
前記再生処理手段は、ユーザにより前記第１表示イメージデータが選択された場合に、ユーザの特定操作に応じて前記第１表示イメージデータが合成された映像信号を再生する第１再生処理を行い、ユーザにより前記第２表示イメージデータが選択された場合に、ユーザの特定操作に応じて前記第２表示イメージデータが合成された映像信号を再生する第２再生処理を行うことを特徴とする請求項１に記載の映像再生装置。
【請求項３】
前記選択手段は、ユーザに前記第１表示イメージデータまたは前記第２表示イメージデータのいずれか一方の選択を促す画面表示であることを特徴とする請求項２に記載の映像再生装置。
【請求項４】
前記選択手段は、ユーザの特定操作の操作内容ごとに前記第１表示イメージデータまたは前記第２表示イメージデータのいずれか一方の選択を促す画面表示であることを特徴とする請求項３に記載の映像再生装置。
【請求項５】
前記再生処理手段は、前記第２表示イメージデータが選択されているもののユーザの特定操作に対応する前記第２表示イメージデータが存在しない場合に、ユーザの特定操作に応じて前記第１表示イメージデータが合成された映像信号を再生する第１再生処理を行う請求項２に記載の映像再生装置。
【請求項６】
前記再生処理手段は、ユーザの特定操作に対応する前記第２表示イメージデータが存在するものの前記第２表示イメージデータが選択されていない場合に、ユーザの特定操作に応じて前記第１表示イメージデータが合成された映像信号を再生する第１再生処理を行う請求項２に記載の映像再生装置。
【請求項７】
前記ユーザの特定操作は、前のインデックスへのスキップ操作、早戻し操作、停止操作、早送り操作、または次のインデックスへのスキップ操作であることを特徴とする請求項１に記載の映像再生装置。
【請求項８】
映像コンテンツデータを送信する送信装置と、前記送信装置により送信された前記映像コンテンツデータを受信して、前記映像コンテンツデータから映像信号を再生する映像再生装置と、前記映像信号を取り込んで映像を表示する映像表示装置とを含む映像表示システムであって、
前記映像再生装置は、
ユーザの特定操作に対応した第１表示イメージデータが記憶された記憶手段と、
映像コンテンツデータに、ユーザの特定操作に対応した第２表示イメージデータが含まれるか否かを識別する識別手段と、
前記識別手段により映像コンテンツデータに第２表示イメージデータが含まれることが識別された場合に、前記記憶手段から読み出された第１表示イメージデータが合成された映像信号を再生する第１再生処理を行うことが可能な再生処理手段と、
を備えることを特徴とする映像表示システム。
【請求項９】
映像コンテンツデータを処理して、映像コンテンツデータから映像信号を再生する映像再生方法であって、
ユーザの特定操作に対応した第１表示イメージデータが記憶された記憶手段が設けられており、
映像コンテンツデータに、ユーザの特定操作に対応した第２表示イメージデータが含まれるか否かを識別する識別ステップと、
前記映像コンテンツデータに第２表示イメージデータが含まれることが識別された場合に、前記記憶手段から読み出された第１表示イメージデータが合成された映像信号を再生する再生処理ステップと、
を含む映像再生方法。
【発明の詳細な説明】
【技術分野】
【０００１】
本発明は、映像コンテンツデータから映像信号を再生する映像再生装置、映像再生方法、および映像再生装置を用いた映像表示システムに関する。
【背景技術】
【０００２】
特許文献１には、従来技術に係る映像再生装置が示されている。この文献の映像再生装置では、予め作成されたＯＳＤ（On Screen Display）表示イメージ用のＯＳＤ画像データがＯＳＤ画像用メモリに記憶されている。そして、映像再生装置は、ＤＶＤディスクを再生することにより得られる操作内容情報（ボタン番号、ボタン領域、ボタンコマンド等）に対応するＯＳＤ画像データをＯＳＤ画像用メモリから取得し、操作内容情報で指定される操作ボタンの表示と共に、ＯＳＤ画像データに基づいてＯＳＤ表示イメージを表示している。
【特許文献１】特開２００２−１５２６４１号公報
【発明の開示】
【発明が解決しようとする課題】
【０００３】
ハイビジョン対応のＨＤ‐ＤＶＤ（High Definition Digital Versatile Disc）規格は、映像コンテンツが再生制御に関するユーザインタフェースを個別に規定できる規格である。すなわち、映像再生装置は、映像コンテンツデータにＯＳＤ表示イメージを規定するデータが含まれている場合には、ユーザによる特定操作に応じてこのＯＳＤ表示イメージを表示するように設定されている。一方、映像再生装置には、映像再生装置に固有のＯＳＤ表示イメージが予め記憶されており、映像コンテンツデータにＯＳＤ表示イメージが規定するデータが含まれていない場合には、従来と同様に映像再生装置に固有のＯＳＤ表示イメージが表示される。
【０００４】
上述したＯＳＤ表示イメージの表示方法では、映像コンテンツデータにＯＳＤ表示イメージを規定するデータが含まれるか否かによって、ディスプレイに表示されるＯＳＤ表示イメージが異なる。また、ユーザによる特定操作の操作内容によっては、映像コンテンツで規定されるＯＳＤ表示イメージに、その操作内容に対応するＯＳＤ表示イメージが含まれないものもあり、このような操作内容についてはＯＳＤ表示イメージが表示されない事態が生じる。上述したように映像コンテンツの種類によってＯＳＤ表示イメージが異なったり、ＯＳＤ表示イメージが表示されないと、ユーザにとって映像再生装置が扱い難いものとなってしまう。
【０００５】
本発明は、上記の課題を解決するためになされたもので、映像コンテンツの種類によらず、ユーザにとって取り扱いやすい映像再生装置、映像再生方法および映像表示システムを提供することを目的とする。
【課題を解決するための手段】
【０００６】
上述した目的を達成するために、本発明に係る映像再生装置は、映像コンテンツデータを処理して、映像コンテンツデータから映像信号を再生する映像再生装置であって、ユーザの特定操作に対応した第１表示イメージデータが記憶された記憶手段と、映像コンテンツデータに、ユーザの特定操作に対応した第２表示イメージデータが含まれるか否かを識別する識別手段と、識別手段により映像コンテンツデータに第２表示イメージデータが含まれることが識別された場合に、記憶手段から読み出された第１表示イメージデータが合成された映像信号を再生する第１再生処理を行うことが可能な再生処理手段と、を備えることを特徴とする。
【０００７】
本発明に係る映像表示システムは、映像コンテンツデータを送信する送信装置と、送信装置により送信された映像コンテンツデータを受信して、映像コンテンツデータから映像信号を再生する映像再生装置と、映像信号を取り込んで映像を表示する映像表示装置とを含む映像表示システムであって、映像再生装置は、ユーザの特定操作に対応した第１表示イメージデータが記憶された記憶手段と、映像コンテンツデータに、ユーザの特定操作に対応した第２表示イメージデータが含まれるか否かを識別する識別手段と、識別手段により映像コンテンツデータに第２表示イメージデータが含まれることが識別された場合に、記憶手段から読み出された第１表示イメージデータが合成された映像信号を再生する第１再生処理を行うことが可能な再生処理手段と、を備えることを特徴とする。
【０００８】
本発明に係る映像表示方法は、映像コンテンツデータを処理して、映像コンテンツデータから映像信号を再生する映像再生方法であって、ユーザの特定操作に対応した第１表示イメージデータが記憶された記憶手段が設けられており、映像コンテンツデータに、ユーザの特定操作に対応した第２表示イメージデータが含まれるか否かを識別する識別ステップと、映像コンテンツデータに第２表示イメージデータが含まれることが識別された場合に、記憶手段から読み出された第１表示イメージデータが合成された映像信号を再生する再生処理ステップと、を含む。
【０００９】
上述した映像再生装置、映像表示システムおよび映像再生方法によれば、映像コンテンツデータに第２表示イメージデータが含まれることが識別された場合であっても、ユーザの特定操作に応じて第１表示イメージが合成された映像信号を再生することが可能である。よって、映像コンテンツデータの種類に依存せず、ユーザの特定操作に応じて共通する画面表示をユーザに提供して、ユーザにとって取り扱いやすくすることができる。
【発明の効果】
【００１０】
本発明によれば、映像コンテンツデータの種類に依存せず、ユーザの特定操作に応じて共通する画面表示を提供することができる。
【発明を実施するための最良の形態】
【００１１】
以下、図面を参照して、本発明に係る映像表示システム１の好適な実施形態について説明する。なお、同一要素には同一符号を用い、重複する説明は省略する。
【００１２】
図１には、本実施形態に係る映像表示システム１を示すブロック図である。図１に示される映像表示システム１において、映像再生装置１０は、ネットワークストレージから映像コンテンツデータ（例えば、映画やドラマなどの番組データ）を取り込んで、この映像コンテンツデータから再生される映像を、映像表示装置であるディスプレイ５０に表示することができる。また、映像再生装置１０は、光ディスク等の記録媒体から映像コンテンツデータを読み出して、この映像コンテンツデータから再生される映像をディスプレイ５０に表示することができる。
【００１３】
映像再生装置１０は、ハードディスクドライブ１１、光ディスクドライブ１２およびネットワークコントローラ１３を備えている。ハードディスクドライブ１１は、高速回転する磁気ディスクに映像コンテンツデータ等のデジタルデータの読み書きを行う。光ディスクドライブ１２は、光ディスクから映像コンテンツデータ等のデジタルデータを読み取って出力する。ネットワークコントローラ１３は、インターネット２０２などの公衆回線網を介して、送信装置であるネットワークストレージ２０４から映像コンテンツデータ等のデジタルデータを取り込むための処理を行う。ハードディスクドライブ１１、光ディスクドライブ１２およびネットワークコントローラ１３はバス１７に接続されており、バス１７を介して映像コンテンツデータをデータプロセッサ部１８に送る。
【００１４】
また、映像再生装置１０は、ＭＰＵ１４（Micro Processing Unit）、ＲＡＭ１５（Random Access Memory）およびＲＯＭ１６（Read Only Memory）を備えている。ＭＰＵ１４は、データプロセッサ部１８に対して、光ディスク２０３、ネットワークストレージ２０４およびハードディスクドライブ１１のいずれかから読み出される映像コンテンツデータを用いて映像および音声を再生するように指示する。ＲＡＭ１５には、ＭＰＵ１４が作動する際に用いられるデータやプログラムが一時的に記憶される。ＲＯＭ１６には、起動プログラム、プレイヤプログラム、ＯＳＤ処理プログラムといったＭＰＵ１４が実行するプログラム、および映像再生装置１０に固有の標準的なＯＳＤ表示イメージデータが記憶されている。ＭＰＵ１４、ＲＡＭ１５およびＲＯＭ１６は、バス１７に接続されている。
【００１５】
ここで、ＯＳＤ表示イメージとは、ユーザがリモートコントローラ５１や装置本体の操作ボタン２７を用いて特定操作を行った場合にディスプレイ５０に表示されるイメージである。ＯＳＤ表示イメージには、ＲＯＭ１６に記憶された標準的な第１ＯＳＤ表示イメージと、映像コンテンツデータにより規定される第２ＯＳＤ表示イメージとがある。標準的な第１ＯＳＤ表示イメージは、映像がディスプレイ５０に表示される際に、ＲＯＭ１６からＲＡＭ１５に移されて利用される。また、映像コンテンツデータにより規定される第２ＯＳＤ表示イメージは、映像コンテンツデータから抽出されてからＲＡＭ１５に格納されて利用される。
【００１６】
第１ＯＳＤ表示イメージおよび第２ＯＳＤ表示イメージは、ＯＳＤ管理テーブルとしてＲＡＭ１５に記憶される。すなわち、ＯＳＤ管理テーブルは、複数の操作内容の各々に対応して、異なるイメージのＯＳＤ表示イメージを用意している。例えば、図２に示されるように、前のインデックスへのスキップボタン、早戻しボタン、停止ボタン、早送りボタン、次のインデックスへのスキップボタンの各々の操作に対応して、符号Ｐ１、符号Ｐ２、符号Ｐ３、符号Ｐ４、符号Ｐ５のイメージを用意している。なお、ＯＳＤ表示イメージの種類はこれらに限らず、ユーザの様々な特定操作に対応して様々なイメージを用意することができる。
【００１７】
また、映像再生装置１０は、データプロセッサ部１８を備えている。データプロセッサ部１８は、バス１７を介して映像コンテンツデータを取り込むと、この映像コンテンツデータのヘッダに含まれるコンテンツ識別情報を読み出して、映像コンテンツの種別を認識すると共に、コンテンツ識別情報をＲＡＭ１５に記憶する。また、データプロセッサ部１８は、映像コンテンツデータから符号化された映像データを分離すると、符号化された映像データを映像デコーダ２１に供給する。また、データプロセッサ部１８は、映像コンテンツデータから符号化された音声データを分離すると、符号化された音声データを音声デコーダ（不図示）に供給する。
【００１８】
また、映像再生装置１０は、映像デコーダ２１、映像合成部２２および映像出力部２３を備えている。映像デコーダ２１は、データプロセッサ部１８から供給された符号化された映像データをデコードして映像データとし、その映像データを映像合成部２２に供給する。映像合成部２２は映像デコーダ２１から供給された映像データの合成処理を行って合成映像データを生成し、生成した合成映像データを映像出力部２３に供給する。映像出力部２３は、供給された合成映像データに対応した映像出力信号（ビデオ出力信号）を出力する。映像デコーダ２１、映像合成部２２および映像出力部２３は、本発明における再生処理手段２０を相当する。なお、映像再生装置１０は、符号化された音声データをデコードする音声デコーダ（不図示）と、音声データに対応した音声出力信号を出力する音声出力部（不図示）も備えている。
【００１９】
また、映像再生装置１０は、ＯＳＤ処理部２４と、ＯＳＤ表示用バッファ２５とを備えている。理解を容易にするために図１にＯＳＤ処理部２４を図示しているが、ＯＳＤ処理部２４は、ＭＰＵ１４がＯＳＤ処理プログラムを実行することにより実現される構成である。
【００２０】
映像コンテンツデータが第２ＯＳＤ表示イメージデータを含むものである場合には、映像デコーダ２１は、第２ＯＳＤ表示イメージの符号化されたデータをデータプロセッサ部１８から取り込むと、第２ＯＳＤ表示イメージの符号化されたデータをデコードしてから、第２ＯＳＤ表示イメージデータをＯＳＤ表示用バッファ２５に一時的に記憶する。ＯＳＤ表示用バッファ２５に記憶された第２ＯＳＤ表示イメージデータは、バス１７を介してＲＡＭ１５に送られて記憶される。このようにＲＡＭ１５に記憶された第２ＯＳＤ表示イメージデータが、その後、ユーザにより特定操作が行なわれた場合に利用される。
【００２１】
また、ＯＳＤ処理部２４は、ユーザによるリモートコントローラ５１の操作がＯＳＤ管理テーブルの特定操作のいずれかに一致する場合には、第１ＯＳＤ表示イメージまたは第２ＯＳＤ表示イメージをディスプレイ５０に表示するための指令を出力する。ＯＳＤ処理部２４の指令を受けて、その一致する特定操作に対応するＯＳＤ表示イメージデータがＲＡＭ１５からＯＳＤ表示用バッファ２５に供給され、さらにＯＳＤ表示イメージがＯＳＤ表示用バッファ２５から映像合成部２２に供給される。映像合成部２２は、映像コンテンツデータから再生された映像にＯＳＤ表示イメージを合成する処理を行って、生成した合成映像データを映像出力部２３に供給する。ここで、映像コンテンツデータから再生された映像に第１ＯＳＤ表示イメージを合成して再生する処理が第１再生処理であり、第２ＯＳＤ表示イメージを合成して再生する処理が第２再生処理である。
【００２２】
また、ＯＳＤ処理部２４は、映像再生装置１０に固有の第１ＯＳＤ表示イメージ、または映像コンテンツデータにより規定される第２ＯＳＤ表示イメージの一方を選択する機能を、ユーザに提供する。すなわち、ＯＳＤ処理部２４が、ユーザによるリモートコントローラ５１の操作に応じて、ＯＳＤ表示イメージの選択画面データをＯＳＤ表示用バッファ２５に供給すると、選択画面データはＯＳＤ表示用バッファ２５から映像合成部２２に供給される。映像合成部２２は、選択画面の映像データを映像出力部２３に供給する。図３には、ＯＳＤ表示イメージの選択画面の一例が示されている。ユーザによるリモートコントローラ５１の操作により、選択画面の「標準のＯＳＤを選択」または「コンテンツのＯＳＤを選択」のいずれか一方が選択されると、ＯＳＤ処理部２４はＯＳＤ選択信号を取り込んで保持する。
【００２３】
次に、映像再生装置１０によるＯＳＤ再生処理について説明する。図４には、映像再生装置１０によるＯＳＤ再生処理のフローチャートが示されている。
【００２４】
映像再生装置１０が映像コンテンツの再生処理を開始すると、データプロセッサ部１８は映像コンテンツデータのヘッダからコンテンツ識別情報を抽出し、抽出されたコンテンツ識別情報はＲＡＭ１５に記憶される（Ｓ４０１）。次に、再生処理手段２０は、映像コンテンツデータから映像を再生し、再生された映像はディスプレイ５０に表示される（Ｓ４０２）。
【００２５】
ユーザによってリモートコントローラ５１が操作されると、ＯＳＤ処理部２４は、リモートコントローラ受信部２６を介して操作信号を取り込み、ユーザによるリモートコントローラ５１の操作がＯＳＤ表示イメージを表示すべき特定操作に該当するか否かを判定する（Ｓ４０３）。ここで、ユーザによる操作が特定操作に該当しないと判定された場合には、映像の表示を終了すべき状況となるまで、通常どおりに再生された映像がディスプレイ５０に表示され続ける（Ｓ４０４）。一方、ユーザによる操作が特定操作に該当すると判定された場合には、ステップ４０５の処理に進む。
【００２６】
ステップ４０５において、ＯＳＤ処理部２４は、コンテンツ識別情報を参照して、映像コンテンツにより第２ＯＳＤ表示イメージが規定されているか否かを判定する（Ｓ４０５）。ここで、映像コンテンツにより第２ＯＳＤ表示イメージが規定されていないことが判定された場合には、ＯＳＤ処理部２４は、ＲＯＭ１６に記憶されていた第１ＯＳＤ表示イメージを選択して、第１ＯＳＤ表示イメージデータをＯＳＤ表示用バッファ２５に供給する（Ｓ４０６）。一方、映像コンテンツにより第２ＯＳＤ表示イメージが規定されていることが判定された場合には、ステップ４０７に進む。
【００２７】
ステップ４０７において、ＯＳＤ処理部２４は、ユーザにより第１ＯＳＤ表示イメージが選択されているか否かを判定する（Ｓ４０７）。ここで、ユーザにより第１ＯＳＤ表示イメージが選択されていることが判定された場合には、ＯＳＤ処理部２４は、第１ＯＳＤ表示イメージを選択して、第１ＯＳＤ表示イメージデータをＯＳＤ表示用バッファ２５に供給する（Ｓ４０６）。一方、ユーザにより第１ＯＳＤ表示イメージが選択されていないことが判定された場合には、ステップ４０８に進む。なお、ユーザによる第１ＯＳＤ表示イメージまたは第２ＯＳＤ表示イメージの一方の選択は、図３に示される選択画面を利用して行なわれる。このように本実施形態では、第１ＯＳＤ表示イメージまたは第２ＯＳＤ表示イメージのいずれか一方を一括で選択できるため、ユーザの好みに応じた表示画面を提供することができる。
【００２８】
ステップ４０８において、ＯＳＤ処理部２４は、ユーザの特定操作に対応する第２ＯＳＤ表示イメージがあるか否かを判定する（Ｓ４０８）。ここで、ユーザの特定操作に対応する第２ＯＳＤ表示イメージがないことが判定された場合には、ＯＳＤ処理部２４は、第１ＯＳＤ表示イメージを選択して、第１ＯＳＤ表示イメージデータをＯＳＤ表示用バッファ２５に供給する（Ｓ４０６）。このように本実施形態では、ユーザの特定操作の一操作内容に対応した第２ＯＳＤ表示イメージデータが存在しない場合でも、その特定操作の一操作内容に対応した第１ＯＳＤ表示イメージデータを映像に合成して表示するため、ユーザの特定操作に応じてＯＳＤ表示イメージが表示されない状況を回避することができる。
【００２９】
ステップ４０８において、ユーザの特定操作に対応する第２ＯＳＤ表示イメージがあることが判定された場合には、ステップ４０９の処理に進む。ステップ４０９において、ＯＳＤ処理部２４は、第２ＯＳＤ表示イメージを選択して、第２ＯＳＤ表示イメージデータをＯＳＤ表示用バッファ２５に供給する（Ｓ４０９）。ステップ４０６またはステップ４０９でＯＳＤ表示用バッファ２５にＯＳＤ表示イメージデータが供給された場合には、映像合成部２２により画像にＯＳＤ表示イメージが合成されて、合成画像がディスプレイ５０に表示される（Ｓ４１０）。
【００３０】
ＯＳＤ表示用バッファ２５は、予め設定されたＯＳＤ表示イメージの表示期間が経過するまで、ＯＳＤ表示イメージデータを映像合成部２２に供給し続ける（Ｓ４１１）。よって、予め設定された表示期間が経過するまでは、画像にＯＳＤ表示イメージが合成された合成画像がディスプレイ５０に表示される。一方、予め設定された表示期間が経過すると、映像コンテンツから再生された通常の画像がディスプレイ５０に表示される（Ｓ４０２）。
【００３１】
以上に説明した本実施形態によれば、第１ＯＳＤ表示イメージまたは第２ＯＳＤ表示イメージのいずれがユーザにより選択されているかが判定される（Ｓ４０７）。そして、ユーザにより第２ＯＳＤ表示イメージが選択されている場合に、ユーザにより行なわれた特定操作の一操作内容に対応する第２ＯＳＤ表示イメージがあるか否かが判定される（Ｓ４０８）。よって、第１ＯＳＤ表示イメージまたは第２ＯＳＤ表示イメージのいずれか一方を一括で選択可能とすることにより、ユーザの好みに応じた表示画面を提供することができる。特に、第１ＯＳＤ表示イメージが選択された場合には、第１ＯＳＤ表示イメージが優先的に表示されるため、映像コンテンツデータの種類に依存しない表示画面を提供することができる。
【００３２】
次に、映像再生装置１０によるＯＳＤ再生処理の変形例について説明する。図５には、映像再生装置１０によるＯＳＤ再生処理の変形例のフローチャートが示されている。図５のフローチャートは、図４のフローチャートのステップ４０７およびステップ４０８に代えて、ステップ５０７およびステップ５０８が行なわれる点で、図４のフローチャートと異なっている。以下、ステップ５０７およびステップ５０８について重点的に説明する。
【００３３】
ステップ５０７において、ＯＳＤ処理部２４は、ユーザの特定操作に対応する第２ＯＳＤ表示イメージがあるか否かを判定する（Ｓ５０７）。ここで、ユーザの特定操作に対応する第２ＯＳＤ表示イメージがないことが判定された場合には、ＯＳＤ処理部２４は、第１ＯＳＤ表示イメージを選択して、第１ＯＳＤ表示イメージデータをＯＳＤ表示用バッファ２５に供給する（Ｓ５０６）。このように本実施形態では、ユーザの特定操作の一操作内容に対応した第２表示イメージデータが存在しない場合でも、その特定操作の一操作内容に対応した第１表示イメージデータを映像に合成して表示するため、ユーザの特定操作に応じて表示イメージが表示されない状況を回避することができる。
【００３４】
一方、ステップ５０７において、ユーザの特定操作に対応する第２ＯＳＤ表示イメージがあることが判定された場合には、ステップ５０８の処理に進む。ステップ５０８において、ＯＳＤ処理部２４は、ユーザにより行われた特定操作の一操作内容について、第１ＯＳＤ表示イメージが選択されているか否かを判定する（Ｓ５０８）。ここで、ユーザにより第１ＯＳＤ表示イメージが選択されていることが判定された場合には、ＯＳＤ処理部２４は、第１ＯＳＤ表示イメージを選択して、第１ＯＳＤ表示イメージデータをＯＳＤ表示用バッファ２５に供給する（Ｓ５０６）。一方、ユーザにより第１ＯＳＤ表示イメージが選択されていないことが判定された場合には、第２ＯＳＤ表示イメージを選択して、第２ＯＳＤ表示イメージデータをＯＳＤ表示用バッファ２５に供給する（Ｓ５０９）。なお、ユーザによる第１ＯＳＤ表示イメージまたは第２ＯＳＤ表示イメージの一方の選択は、図６に示される選択画面を利用して行なわれる。図６の選択画面では、ユーザの特定操作の各操作内容について、第１ＯＳＤ表示イメージまたは第２ＯＳＤ表示イメージのいずれか一方を選択できるようになっている。
【００３５】
以上に説明した変形例に係るＯＳＤ再生処理によれば、ユーザの特定操作の一操作内容に対応する第２ＯＳＤ表示イメージがあるか否かが判定される（Ｓ５０７）。そして、ユーザの特定操作の一操作内容に対応する第２ＯＳＤ表示イメージがある場合に、その特定操作の一操作内容について第１ＯＳＤ表示イメージまたは第２ＯＳＤ表示イメージのいずれが選択されているかが判定される（Ｓ５０８）。よって、ユーザの特定操作の各操作内容ごとに第１ＯＳＤ表示イメージまたは第２ＯＳＤ表示イメージのいずれか一方を選択可能とすることにより、よりユーザの好みに応じた表示画面を提供することができる。特に、第１ＯＳＤ表示イメージが選択された場合には、第１ＯＳＤ表示イメージが優先的に表示されるため、映像コンテンツデータの種類に依存しない表示画面を提供することができる。
【００３６】
以上に説明した映像表示システムは、ＨＤ−ＤＶＤ規格に準拠するものを主な対象としているが、本発明はこれに限定されない。例えば、通常のＤＶＤ規格に準拠する映像表示システムの応用として本発明が適用されてもよいし、ブルーレイディスク（Blu-ray Disc）規格などの他の種類の映像表示システムに本発明が適用されてもよい。
【図面の簡単な説明】
【００３７】
【図１】本発明の実施形態に係る映像表示システムを示すブロック図である。
【図２】ディスプレイに表示されたＯＳＤ表示イメージの一例を示す図である。
【図３】ＯＳＤ表示イメージを選択するための選択画面の一例を示す図である。
【図４】映像再生装置のＯＳＤ再生処理を示すフローチャートである。
【図５】映像再生装置のＯＳＤ再生処理の変形例を示すフローチャートである。
【図６】ＯＳＤ表示イメージを選択するための選択画面の変形例を示す図である。
【符号の説明】
【００３８】
１…映像表示システム、１０…映像再生装置、１１…ハードディスクドライブ、１２…光ディスクドライブ、１３…ネットワークコントローラ、１４…ＭＰＵ、１５…ＲＡＭ、１６…ＲＯＭ、１７…バス、１８…データプロセッサ部（識別手段）、２０…再生処理手段、２１…映像デコーダ、２２…映像合成部、２３…映像出力部、２４…ＯＳＤ処理部（選択手段）、２５…表示用バッファ、２６…リモートコントローラ受信部、２７…操作ボタン、５０…ディスプレイ（映像表示装置）、５１…リモートコントローラ、２０２…インターネット、２０３…光ディスク、２０４…ネットワークストレージ。
【図１】
2008011447.tif 000003
【図２】
2008011447.tif 000004
【図３】
2008011447.tif 000005
【図４】
2008011447.tif 000006
【図５】
2008011447.tif 000007
【図６】
2008011447.tif 000008